(57)【要約】  【課題】  ガイドレールの継目部の曲がりを防止するブラケット周辺において保護線の固定などの施工性を向上させることができるエレベータ昇降路内の突起物に対する保護装置を提供する。  【解決手段】  ガイドレール１Ａ，１Ｂの継目部の曲がりを防止するブラケット２に用いられるガイドレールの曲がり調整ボルト１０のカバー１３に突起物に対する保護線１２を取り付ける。【選択図】  図２
2015151258.tif 000002
【特許請求の範囲】
【請求項１】
ガイドレールに固定されるブラケットに突起物に対する保護線の一端を取り付けるようにしたエレベータ昇降路内の突起物に対する保護装置において、
前記ブラケットは、前記ガイドレールの継目部の曲がりを防止するブラケットであり、前記ガイドレールの継目部の曲がりを調整する調整ボルトが取り付けられ、
前記ガイドレールの継目部の曲がりを調整する調整ボルトの保護カバーが前記ブラケットに取り付けられ、
前記保護カバーに前記保護線を取り付けるようにしたことを特徴とするエレベータ昇降路内の突起物に対する保護装置。
【請求項２】
請求項１に記載のエレベータ昇降路内の突起物に対する保護装置において、
前記保護カバーは、前記調整ボルトの頭部に引っ掛かるプレートに対してねじ止めされ、前記調整ボルトを上下から押さえ込む曲げ部が形成されていることを特徴とするエレベータ昇降路内の突起物に対する保護装置。
【請求項３】
請求項１に記載のエレベータ昇降路内の突起物に対する保護装置において、
前記保護カバーは、前記ガイドレールを前記ブラケットに固定する締結具を用いて前記ブラケットに共締めされていることを特徴とするエレベータ昇降路内の突起物に対する保護装置。
【請求項４】
請求項１〜３の何れかに記載のエレベータ昇降路内の突起物に対する保護装置を備えたことを特徴とするエレベータ。
【発明の詳細な説明】
【技術分野】
【０００１】
本発明は、エレベータ昇降路内の突起物に対する保護装置に係り、特に、ガイドレールブラケットへの保護線の固定構造に関するものである。
【背景技術】
【０００２】
エレベータには、日本エレベータ協会標準（ＪＥＡＳ）による「エレベータの昇降路内機器突起物に対する保護措置標準」（ＪＥＡＳ−７１１）に準拠して、ロープやケーブル等の長尺物がエレベータ昇降路内の機器突起物などに引っ掛からないようにするために保護線が張られている。
【０００３】
例えば、特許文献１（特開２０１１−１７３７１２号公報）には、保護線を引っ掛けた状態で固定先を挟み込む一対の顎部材と、厚み調整ねじとを備え、厚み調整ねじは、一対の顎部材の少なくとも一方に螺合し、固定先を挟み込んでいない時の一対の顎部材の間隔を変更するように構成された、エレベータ昇降路内の突起物に対する保護線の固定装置が提案されている。
【先行技術文献】
【特許文献】
【０００４】
【特許文献１】特開２０１１−１７３７１２号公報
【発明の概要】
【発明が解決しようとする課題】
【０００５】
特許文献１に記載の保護線の固定装置によれば、突起物やブラケット等の固定対象に小穴を開けてワイヤを結びつけたり、固定対象にワイヤを溶接したりする必要がなく、エレベータ昇降路内において突起物に対する保護線を容易に固定することができると記載されている。
【０００６】
しかし、保護線の固定先には特許文献１に記載のような鍔部材により挟み込んで取り付けるのが困難な固定先もある。例えば、ガイドレールの継目部の曲がりを防止するブラケットでは特許文献１に記載のような鍔部材を取り付けにくい形状となっているため、保護線の固定などの施工性に課題がある。
【０００７】
本発明の目的は、ガイドレールの継目部の曲がりを防止するブラケット周辺において保護線の固定などの施工性を向上させることができるエレベータ昇降路内の突起物に対する保護装置を提供することにある。
【課題を解決するための手段】
【０００８】
本発明は、上記課題を解決するために、ガイドレールの継目部の曲がりを防止するブラケットに用いられるガイドレールの曲がり調整ボルトのカバーに突起物に対する保護線を取り付けるようにしたことを特徴とする。
【発明の効果】
【０００９】
本発明によれば、ガイドレールの継目部の曲がりを防止するブラケット周辺において保護線の固定などの施工性を向上させることができる。
【００１０】
上記した以外の課題、構成及び効果は、以下の実施形態の説明により明らかにされる。
【図面の簡単な説明】
【００１１】
【図１】本発明の実施例が適用されるガイドレールの継目部の曲がりを防止するブラケットの一例を示す図。
【図２】本発明の実施例１に係るエレベータ昇降路内の突起物に対する保護装置における保護線の固定方法を説明する図。
【図３】本発明の実施例２に係るエレベータ昇降路内の突起物に対する保護装置における保護線の固定方法を説明する図。
【発明を実施するための形態】
【００１２】
以下、図面を用いて本発明の実施例を説明する。
【００１３】
先ず、図１を用いて本発明のエレベータ昇降路内の突起物に対する保護装置が適用されるガイドレールの継目部の曲がりを防止するブラケットについて説明する。  
エレベータのガイドレールは、複数のガイドレール１Ａ，１Ｂを繋ぎ合せている。ガイドレールの継目部にはガイドレールの曲りを防止するブラケットが用いられている。ガイドレールの曲りを防止するブラケットは、継目部におけるＸ方向の曲りとＹ方向の曲りを防止する機能を有する。図１に示すガイドレールの曲りを防止するブラケットは、ブラケット本体２と、ブラケット本体２に溶接などにより固定されたブラケットＸ方向調整用ブロック３Ａ，３Ｂと、ブラケット本体２に溶接などにより固定されたブラケット固定用プレート４Ａ，４Ｂとから構成されている。
【００１４】
ガイドレール１Ａ，１Ｂは、継目部付近において、複数の締結具７を用いてブラケット本体に固定されている。図示の例に限定されるものではないが、図示の例では、ガイドレールの両側において、上側のガイドレール１Ａについてそれぞれ２か所，また、下側のガイドレール１Ｂについてそれぞれ２か所が締結具７により固定され、上側ガイドレール１Ａと下側ガイドレール１Ｂがブラケット本体２を介して一体化されている。
【００１５】
継目部におけるＸ方向のガイドレールの曲りを調整するため（真直ぐに繋ぐため）、ブラケットＸ方向調整用ブロック３Ａ，３Ｂと複数の調整ボルト１０が用いられる。ブラケットＸ方向調整用ブロック３Ａ，３Ｂには、調整ボルト１０が取り付けられる貫通穴が形成され、貫通穴には調整ボルト１０と螺合するねじが形成されている。調整ボルト１０の捩じ込み量（ブラケットＸ方向調整用ブロック３Ａ，３Ｂからガイドレール側への突出量）を調整することにより継目部においてガイドレール１Ａ，１Ｂが真直ぐになるように調整される。ブラケット本体２は、エレベータを据え付ける現地において、ガイドレール１Ａ，１Ｂに調整しながら固定するため、調整ボルト１０は余裕代１０ａを持たせているため、調整ボルトの頭部が剥き出しになっている。すなわち、調整ボルト１０は、締結した状態で締付されていな部分がブラケットＸ方向調整用ブロック３Ａ，３Ｂから突出した出張りを有することになる。このような調整ボルトを本発明では現地調整用出張りボルトを称する。
【００１６】
現地調整用出張りボルト１０による固定が終了した後、ガイドレール固定治具６と締結具７を用いてガイドレール１Ａ，１Ｂをそれぞれブラケット固定用プレート４Ａ，４Ｂに固定する。これにより継目部におけるＹ方向の曲りが効果的に防止される。
【００１７】
このような構造のガイドレールの曲りを防止するブラケットでは、ブラケットＸ方向調整用ブロック３Ａ，３Ｂや、ブラケット固定用プレート４Ａ，４Ｂなどの存在により、特許文献１に記載のような鍔部材を取り付けることが難しい。
【実施例１】
【００１８】
図２を用いて本発明の実施例１を説明する。図２は、本発明の実施例１に係るエレベータ昇降路内の突起物に対する保護装置における保護線の固定方法（保護装置の据え付け）を説明する図である。図２および後述の図３において、保護線の固定はガイドレールの片側のみ図示しているが他方の側においても同様に保護線が固定される。
【００１９】
本実施例は、調整ボルト保護カバー（曲げプレート）１３を利用して保護線をブラケットに取り付けるようにしたものである。言い換えれば、調整ボルト保護カバーを保護線の固定装置として兼用させるようにしたものである。
【００２０】
本実施例においては、保護装置（保護線の固定装置）は、調整ボルト保護カバー１３、保護カバー取付けプレート１４、ビス１１で構成されている。
【００２１】
調整ボルト保護カバー１３は、現地調整用出張りボルト１０の頭部を覆い、ブラケットに取り付けられる。本実施例では、調整ボルト保護カバー１０のブラケットへの取り付けは、現地調整用出張りボルト１０の頭部を介して行うようにしている。そのため、保護カバー取付けプレート１４を用いている。保護カバー取付けプレート１４には、現地調整用出張りボルト１０の頭部に引っ掛けるためのだるま穴１４ａが形成されている。このだるま穴１４ａの下部穴は現地調整用出張りボルト１０の頭部よりも大きく形成されており、だるま穴１４ａの上部穴は現地調整用出張りボルト１０の頭部よりも小さく軸部よりも大きい。図２における矢印で示すように保護カバー取付けプレート１４を取り付けることにより保護カバー取付けプレート１４は現地調整用出張りボルト１０の頭部に確実に引っ掛けられる。保護カバー取付けプレート１４には後述のビス１１を固定するためのビス取付け用ねじ穴１４ｂが形成されている。
【００２２】
保護カバー取付けプレート１４を取り付けた後、調整ボルト保護カバー１３を取り付ける。調整ボルト保護カバー１３には、保護線１２を取り付けるための保護線取付け穴１３ａが形成されている。保護線取付け穴１３ａには予め保護線１２を取り付けて置く。調整ボルト保護カバー１３には、ビス取付け穴１３ｂが形成されており、ビス取付け穴１３ｂを介してビス１１を保護カバー取付けプレート１４のビス取付け用ねじ穴１４ｂにねじ込む。なお、本実施例の調整ボルト保護カバー１３には曲げ部１３ｃ１，１３ｃ２が設けられており、曲げ部１３ｃ１，１３ｃ２の両方により現地調整用出張りボルト１０を押さえ込む構造になっている。この曲げ部１３ｃ１，１３ｃ２の存在により、振動などの外力が加わっても保護カバー取付けプレート１４が現地調整用出張りボルト１０から外れるのを防止することができる。
【００２３】
保護線１２は、日本エレベータ協会標準（ＪＥＡＳ−７１１）に準拠して、ロープやケーブル等が突起物に引っ掛からないような措置として設けられる。保護線１２は、番線やワイヤ等からなる。保護線１２の一端側は、本実施例では調整ボルト保護カバー１３に固定され、他端は昇降路内の他の固定先（適宜の箇所）に固定される。
【００２４】
本実施例によれば、調整ボルト保護カバー１３を利用して保護線１２をブラケットに取り付けるようにしているので、ガイドレールの継目部の曲がりを防止するブラケット周辺においける保護線の固定などの施工性を向上させることができる。そして、長尺物が突起物に引っ掛るのを防止することができる。
【実施例２】
【００２５】
図３を用いて本発明の実施例２を説明する。図３は、本発明の実施例２に係るエレベータ昇降路内の突起物に対する保護装置における保護線の固定方法（保護装置の据え付け）を説明する図である。
【００２６】
本実施例は、調整ボルト保護カバー（コの字型プレート）１５を利用して保護線をブラケットに取り付けるようにしたものである。本実施例も、言い換えれば、調整ボルト保護カバーを保護線の固定装置として兼用させるようにしたものである。本実施例においては、保護装置（保護線の固定装置）は、調整ボルト保護カバー１５のみで構成されている。
【００２７】
調整ボルト保護カバー１５は、現地調整用出張りボルト１０の頭部を覆い、ブラケットに取り付けられる。本実施例では、調整ボルト保護カバー１５のブラケットへの取り付けは、ガイドレール１Ａ，１Ｂをそれぞれブラケット固定用プレート４Ａ，４Ｂに取り付けるのと同時に行うようにしている。
【００２８】
調整ボルト保護カバー（コの字型プレート）１５には、保護線１２を取り付けるための保護線取付け穴１５ａが形成されている。保護線取付け穴１５ａには予め保護線１２を取り付けて置く。調整ボルト保護カバー１５の曲げ部１５ｂ１には、ブラケット取付け用穴１５ｃが形成されておいる。調整ボルト保護カバー１５の曲げ部１５ｂ２は保護カバーの強度を保ち、現地調整用出張りボルト１０の頭部を確実に覆うために形成されている。
【００２９】
ガイドレール１Ａ，１Ｂをそれぞれブラケット固定用プレート４Ａ，４Ｂに固定する際に、調整ボルト保護カバー１５の曲げ部１５ｂ１を、締結具７（ボルト７ａ、ナット７ｂ）を利用して共締めで固定し、保護線１２が取り付けられた調整ボルト保護カバー１５をブラケットに取り付けている。
【００３０】
本実施例によれば、調整ボルト保護カバー１５を利用して保護線１２をブラケットに取り付けるようにしているので、ガイドレールの継目部の曲がりを防止するブラケット周辺においける保護線の固定などの施工性を向上させることができる。そして、長尺物が突起物に引っ掛るのを防止することができる。さらに、調整ボルト保護カバー１５を共締めでブラケットに固定するようにしているのでさらに施工性が向上する。
【００３１】
上述の実施例では、現地調整用出張りボルトを有するブラケットへの適用について説明したが、出張りボルトが取り付けられるものであれば同様に適用かのうである。すなわち、出張りボルトのカバーを設け、そのカバーに保護線を取り付けるようにすれば良い。
【００３２】
また、上述の実施例では横保護線への適用を示しているが、本発明は、縦保護線にも適用可である。
【００３３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【符号の説明】
【００３４】
１Ａ，１Ｂ  ガイドレール
２  ブラケット本体
３Ａ，３Ｂ  ブラケットＸ方向調整用ブロック
４Ａ，４Ｂ  ブラケット固定用プレート
６  ガイドレール固定治具
７  締結具
７ａ  ボルト
７ｂ  ナット
１０  調整ボルト（現地調整用出張りボルト）
１０a  余裕代
１１  ビス
１２  保護線
１３  調整ボルト保護カバー（曲げプレート）
１３a  保護線取付け穴
１３ｂ  ビス取付け穴
１３ｃ１，１３ｃ２  曲げ部
１４  保護カバー取付けプレート
１４a  だるま穴
１４ｂ  ビス取付け用ねじ穴
１５  調整ボルト保護カバー（コの字型プレート）
１５a  保護線取付け穴
１５ｂ１，１５ｂ２  曲げ部
１５ｃ  ブラケット取付け用穴
【図１】
2015151258.tif 000003
【図２】
2015151258.tif 000004
【図３】
2015151258.tif 000005